(57)【要約】      （修正有）【課題】設置及び操作が簡単であると共に、水の分子が小さく、弱アルカリ性で、高マイナス電位及び高溶合水素分子の特性を有する健康飲用水を生み出すことができるエナジー水素水溶合装置を提供する。【解決手段】浄水装置１０の水が加圧ポンプ２０を経て、一部が水素発生設備３０に送られて水素と酸素に分解され、他の一部はエナジー水素水溶合貯水槽４０に送られる。水素発生設備３０で生じた酸素は排出されるか、浄水装置１０に戻される。水素発生設備３０で生じた水素は、加圧ポンプ２０の入水口に送られ、加圧されて清浄な水と均一に混合される。こうして、エナジー水素水溶合貯水槽４０内の水は高溶合水素水となる。エナジー水素水溶合貯水槽４０には、エナジー鉱石、水素分子鉱石及び末端フィルター材が敷設され、高溶合水素水を更に改質する。【選択図】図１
0003215179.tif 000002
【実用新案登録請求の範囲】
【請求項１】
浄水装置、加圧ポンプ、水素発生設備及びエナジー水素水溶合貯水槽を備えるエナジー水素水溶合装置であって、
前記エナジー水素水溶合装置では、第一接続パイプが設置されて、前記加圧ポンプの入水口に接続され、前記加圧ポンプの出水口は、第二接続パイプが設置されて、水素発生設備に接続されると共に、前記加圧ポンプの出水口は、第三接続パイプが設置されて、前記エナジー水素水溶合貯水槽に接続され、前記水素発生設備は、第五接続パイプが設置されて、前記加圧ポンプの入水口に接続されており、前記水素発生設備が生成した水素は前記浄水装置が供給する清浄水と共に前記加圧ポンプに進入して混合されて高溶合水素水を形成し、前記第三接続パイプを介して前記エナジー水素水溶合貯水槽に進入することを特徴とするエナジー水素水溶合装置。
【請求項２】
前記浄水装置は少なくとも、前置フィルター、貯水槽及び中間フィルターを備えることを特徴とする請求項１に記載のエナジー水素水溶合装置。
【請求項３】
前記水素発生設備により分解・生成された酸素は、前記浄水装置に送り返されるか、外に排出されることを特徴とする請求項１に記載のエナジー水素水溶合装置。
【請求項４】
前記加圧ポンプにより水素発生設備に送られる清浄水は、先ず電磁バルブを介して水位がコントロールされ、純化フィルターのろ過を経た後、水素発生設備に進入することを特徴とする請求項１に記載のエナジー水素水溶合装置。
【請求項５】
前記エナジー水素水溶合貯水槽内の飲用水は、高圧バルブを経た後、さらに、蛇口から放出されることを特徴とする請求項１に記載のエナジー水素水溶合装置。
【請求項６】
前記エナジー水素水溶合貯水槽内には、エナジー鉱石、水素分子鉱石及び末端フィルター材が収納されていることを特徴とする請求項１に記載のエナジー水素水溶合装置。
【請求項７】
前記貯水槽は、前記前置フィルターがろ過した後の清浄水または外部の清浄水を収納するのに供されることを特徴とする請求項２に記載のエナジー水素水溶合装置。
【請求項８】
前記中間フィルターは、活性炭素繊維フィルターであることを特徴とする請求項２に記載のエナジー水素水溶合装置。
【請求項９】
前記高圧バルブは、圧力コントロールを設定することで、前記加圧ポンプの開閉をコントロールすることを特徴とする請求項５に記載のエナジー水素水溶合装置。
【請求項１０】
前記エナジー鉱石は、少なくとも光波エナジー鉱石、マイナスイオン鉱石、麦飯石、遠赤外線セラミック石及び各種磁石のうちのいずれか一種を含むことを特徴とする請求項６に記載のエナジー水素水溶合装置。
【請求項１１】
前記水素分子鉱石は、マグネシウム鉱石であることを特徴とする請求項６に記載のエナジー水素水溶合装置。
【請求項１２】
前記末端フィルター材は、表面が０．０１〜０．１ミクロンの超細微フィルター穴を有する中空糸膜であることを特徴とする請求項６に記載のエナジー水素水溶合装置。
【考案の詳細な説明】
【技術分野】
【０００１】
本考案はエナジー水素水溶合装置に関し、特に、設置、操作が簡単で、使用上簡単、便利であることで、清浄な水源を、加圧ポンプ水素発生設備及びエナジー水素水溶合貯水槽による処理を経た後、水の分子が非常に小さく、弱アルカリ性で、高マイナス電位及び高溶合水素分子の特性を有する健康飲用水にすることを特徴とするエナジー水素水溶合装置に関する。
【背景技術】
【０００２】
水は生命の源である。しかしながら、工商業の高度な発展に伴い、水の汚染は日ごとにその度を増している。例えば、各種重金属、工業廃棄物、農薬、科学製剤、牧畜廃棄物等が水に及ぼす汚染は、人類が生命を維持するための各種農、漁、牧畜業製品全てを汚染するだけでなく、ひいては、人類の健康に危害を及ぼすことになる。特に、飲用水が直接汚染されると、これを長期に飲用した場合、慢性的な中毒のように、知らず知らずのうちに、病源となる老廃物や毒素が体内に蓄積されて、高血圧、ガン、糖尿病、高コレステロール、腎臟病といった疾病を発生させることになる。
【０００３】
各種資料文献にも記されているように、現在、世界中には多くの長寿村が存在する。世界保健機構Ｗ．Ｈ．Ｏの長期間にわたる研究によると、これらの長寿村で使用されている水は、衛生的で汚染がなく、さらに、ややアルカリ性でクラスターの小さいカルシウムイオン活性水であることがわかっている。同時に、適量の酸素量を含み、浸透圧、溶解力、導熱及び導電性がいずれも極めて良好であると言う。前記の長寿村の水質が生まれた理由を探ってみると、主に、雨水が高山を経て、土壌から鉱脈に進入した後、原水が重なる層の岩石や鉱脈によって交換及びろ過されて、水にエナジーや多種のイオン鉱物質、微量元素が注入されて、活性化エナジー水になるからであると言われている。
【０００４】
しかしながら、現在一般に飲用されている水道水や地下水の水質は、前述のような人体に有益な活性化エナジー水ではない。例えば、以下のような問題が指摘されている。
【０００５】
１．水道水の水源は、ほとんどが工業、農業、牧畜業によって汚染されていて、水中には往々にして各種の重金属、残留農薬、化合物及び有毒物質が含まれている。浄水場では、水質が濁らず透明にするために、通常ポリ塩化アルミニウムが加えられて水質の透明度を保ち、塩素により殺菌を行なう。しかしながら、これらの化合物は加熱されると、摂氏６０度以上でトリハロメタンが形成され、発ガン物質が発生して、水のクラスターが大きい「死んだ水」となり、体の新陳代謝機能に影響を与える。
【０００６】
２．地下水の水源は、その来源が不明であり、使用の際のリスクが高い。特に、ある種の化合物、重金属及び農薬によって発生する毒素は、高温煮沸方式で除去することができないため、飲用後人体に蓄積されたり、病源となったりする可能性が極めて高く、慢性疾患を引き起こすリスクも高い。
【０００７】
また、フリーラジカル（活性酸素）は、高い反応活性、強い酸化性、容易に他の分子と反応する等の特性を有し、人体にとって、フリーラジカル（活性酸素）は組織や細胞に対してダメージを与えやすく、慢性疾患や老化等の現象を引き起こすため、一般に、人の体内にフリーラジカル（活性酸素）が多すぎると、容易に退行性疾患やガン等を発症させると考えられている。
【０００８】
さらに、研究によると、水素は、人の体内に存在するフリーラジカル（活性酸素）を中和させる作用を有し、人の体内には自然に水素が生成されて体内のフリーラジカル（活性酸素）を中和させて、ダメージを受けた細胞を保護したり、正常な新陳代謝を維持したりするものの、人体で水素が生成されるスピードは、フリーラジカル（活性酸素）が発生するスピードには及ばないため、体内のフリーラジカル（活性酸素）のバランスを維持することが難しく、この状態が長時間続くと、容易に健康影響を及ぼすことが考えられる。
【０００９】
このため、近年水素を人体に補充することで、健康に役立てる方法や設備が提供されている。しかしながら、水素は気体であり、効果的に人体に吸収させるのは容易ではないため、現在最も一般的な方式は、水と混合させて飲用に適した水素水として提供する方法である。例えば、アルカリ性活性水素水は、水の酸化作用を抑制し、水素水を飲用することで、健康に役立てることができるという研究が一部でなされている。
【００１０】
しかしながら、従来の水素水生成の設備は、ほとんど体積が大きいか、コストが高い、あるいは、構造が複雑、且つ、混合の効果が良好ではない、またあるいは、混合に時間を要して、溶合水素効率が良好ではないという状況が発生する。つまり、現有の水素水混合発生装置は決して理想的ではなく、改善を要するのである。
【００１１】
上述に鑑みて、水道水や地下水が現在一般に水源として使用されているため、いかにしてこの水を浄化し、簡易処理して水素分子を多く含むと同時に、健康に有益なエナジー活性水にするかが、業界において解決が期待されるところであり、努力目標である。
【先行技術文献】
【特許文献】
【００１２】
【特許文献１】（特になし）
【考案の概要】
【考案が解決しようとする課題】
【００１３】
したがって、本考案は、前述の従来の技術に存在する欠点を解決することを課題とする。
【課題を解決するための手段】
【００１４】
前記課題を解決するために、本考案は、従来の欠点を改善し、水道水や地下水等の原水を処理すると同時に浄化を行ない、弱アルカリ性で、水のクラスターが小さく、ＯＲＰマイナス電位及び高溶合水素分子の健康飲用水にするエナジー水素水溶合装置を提供することを目的とする。
【００１５】
前記目的を達成するために、本考案のエナジー水素水溶合装置は、清浄な水源を加圧ポンプを経て、一部が水素発生設備に送られて水素と酸素に分解され、他の一部は、エナジー水素水溶合貯水槽に送られる。このうち、前記水素発生設備により分解・形成された酸素は排出されるか、清浄な水源に戻される。前記水素発生設備により分解・形成された水素は、接続された加圧ポンプの入水口に送られることで、水素は加圧ポンプに加圧されて均一に混合され、清浄な水内に送り出される。さらに、エナジー水素水溶合貯水槽内の水は、高溶合水素水となる。また、エナジー水素水溶合装置貯水槽内には、エナジー鉱石、水素分子鉱石及び末端フィルター材が敷設されていて、前記エナジー水素水溶合貯水槽を経て放出された水は、水の分子が小さく、弱アルカリ性で、高マイナス電位及び高溶合水素分子の特性を有する健康飲用水を形成する。
【考案の効果】
【００１６】
本考案のエナジー水素水溶合装置は、設置、操作が簡単で、使用上簡単、便利であることで、清浄な水源を、加圧ポンプ水素発生設備及びエナジー水素水溶合貯水槽による処理を経た後、水の分子が非常に小さく、弱アルカリ性で、高マイナス電位及び高溶合水素分子の特性を有する健康飲用水にするという効果を奏する。
【図面の簡単な説明】
【００１７】
【図１】本考案の実施例の上から見た図である。
【考案を実施するための形態】
【００１８】
図１を参照しながら説明する。本考案のエナジー水素水溶合装置は、浄水装置１０が設置されて、前記浄水装置１０は、少なくとも前置フィルター１０１、貯水槽１０２及び中間フィルター１０３を備えて、水道水または地下水の原水に対して、ろ過し浄化することで、飲用に適した清浄な水を形成する。このうち、前記前置フィルター１０１は数本設置されて、原水に対して初歩的なろ過を行ない、水中の雑物質、水中の浮遊生物、水中の塩素や異臭物質を吸着させることで、細菌の繁殖を抑制し、水の味を良くする効果を達成する。前記貯水槽１０２は、前置フィルター１０１を経て、ろ過された後の清浄な水または外部の清浄な水を収納するのに供する。前記中間フィルター１０３は、活性炭素繊維フィルター（亜鉛添着ポリプロピレン活性炭布フィルター）で、再度水中の細微な雑物質をろ過するのに用いられる。前記浄水装置１０を経てろ過され浄化された後の清浄な水は、第一接続パイプ１０４を介して、加圧ポンプ２０の入水口２０１に接続され、前記加圧ポンプ２０に吸い取られた後の清浄な水は、加圧されて送り出され、出水口２０２において、一部は第二接続パイプ２０３を経て水素発生設備３０に送られて、同時に、出水口２０２において、他の一部は、第三接続パイプ２０４を経てエナジー水素水溶合貯水槽４０に送られる。このうち、前記清浄な水は、水素発生設備３０を経た後、酸素と水素に分解される。前記分解・形成された酸素は、第四接続パイプ２０５を介して浄水装置１０の貯水槽１０２に送り返されるか、外に排出される。前記分解・形成された水素は、第五接続パイプ２０６を介して、加圧ポンプ２０に接続された入水口２０１に接続されて、第一接続パイプ１０４が放出した清浄な水と共に加圧ポンプ２０に吸い取られることで、相互に混合されて、高溶合水素水に形成された後、さらに、加圧ポンプ２０の出水口２０２及び第三接続パイプ２０４を経てエナジー水素水溶合貯水槽４０に送り出される。
前記エナジー水素水溶合貯水槽４０内には、少なくともエナジー鉱石、水素分子鉱石及び末端フィルター材が収納されることで、加圧ポンプ２０を経て送り出された高溶合水素水は、エナジー水素水溶合貯水槽４０に進入した後、水質が還元されて、さらに、雑菌が減少されるか、滅菌された上、さらに、水の分子が小さく、弱アルカリ性で、高マイナス電位（ＯＲＰ）及び高溶合水素分子の特性を有する健康飲用水を放出させる。このうち、前記エナジー鉱石は、少なくとも、例えば、光波エナジー鉱石、マイナスイオン石、麦飯石、遠赤外線セラミック石、及び各種磁石を含むいずれか一種から構成される。前記水素分子鉱石は、マグネシウム鉱石である。前記末端フィルター材は、表面が０．０１〜０．１ミクロンの超細微フィルター穴を有する中空糸膜である。
【００１９】
前記エナジー水素水溶合貯水槽４０内の健康飲用水は、高圧バルブ４０１を経た後、さらに、蛇口４０２から放出されることで、蛇口４０２で放出される飲用水に随時圧力がかかるようになっている。つまり、前記高圧バルブ４０１は、圧力がかかることで加圧ポンプ２０の開閉動作をコントロールして、蛇口４０２が開かれると、エナジー水素水溶合貯水槽４０内の水が、高圧バルブ４０１によって次々と放出される時、前記加圧ポンプ２０がただちに開き、高溶合水素水がエナジー水素水溶合貯水槽４０に送られて、さらに、圧力がかかった状態で次々と放出される。そして、蛇口４０２が閉められて、高圧バルブ４０１の水圧が所定の数値に達すると、前記高圧バルブ４０１は、加圧ポンプ２０をコントロールしてその動きを止めることで、エナジー水素水溶合貯水槽４０は随時設定値の水圧を保持する。
【００２０】
前記加圧ポンプ２０の出水口２０２および第二接続パイプ２０３を介して水素発生設備３０に送られる清浄な水は、さらに、まず電磁バルブ２１のコントロールと純化フィルター２２のろ過を経た後、水素発生設備３０に進入することで、水素発生設備３０が、分解・形成した水素により確実に浄化清浄される効果を達成する。このうち、前記電磁バルブ２１は、特に、水素発生設備３０が設定した水位コントロールにより進水量がコントロールされることで、水素発生設備３０が豊富で途切れることなく水素を生成して、前記水素が加圧ポンプ２０に供給されて進入する。
【００２１】
前記水素発生設備３０の分解・生成により形成された水素は、第五接続パイプ２０６を介して加圧ポンプ２０の入水口２０１に接続されて、浄水装置１０を経た後の清浄水と共に加圧ポンプ２０に吸い取られ、前記水素と清浄水は、同時に加圧ポンプ２０の高圧に吸い取られて放出されることで、自然と充分均等に混合されて、高溶合水素水をエナジー水素水溶合貯水槽４０内に進入させることができる。
【００２２】
このように、本考案のエナジー水素水溶合装置は、水道水や地下水等の原水を、浄水装置１０のろ過・浄化によって、浄水化した後、加圧ポンプ２０によって、前記清浄水を吸い取り、一部の清浄水を水素発生設備３０に送って、分解し、水素を発生させる。前記水素発生設備３０が分解・生成した水素は、さらに、清浄水と共に加圧ポンプ２０に吸い取られて、加圧され、混合されて、エナジー水素水溶合貯水槽４０に送られて進入し、前記水素は、充分且つ均等に清浄水内に混合されることで、飲用に適した高溶合水素水が形成される。さらに、前記エナジー水素水溶合貯水槽４０内において、少なくともエナジー鉱石、水素分子鉱石及び末端フィルター材が収納されることで、加圧ポンプ２０を介して加圧され、送り出された高溶合水素水が、エナジー水素水溶合貯水槽４０に進入した後、水質が還元されて、さらに、雑菌が減少され、滅菌された上、さらに、水の分子が小さく、弱アルカリ性で、高マイナス電位（ＯＲＰ）及び高溶合水素分子の特性を有する健康飲用水を放出させる。本考案のエナジー水素水溶合装置で生成された水素水を飲用することで、健康を維持する効果が期待される。
【００２３】
すなわち、本考案は少なくとも以下の長所を有する。
【００２４】
１．製作が簡単で、経済性に優れる。
【００２５】
２．組み立て、操作が簡単且つ便利で、実施が速やかに行なえる。
【００２６】
３．水道水、地下水等の原水に対して、所定のろ過、浄化及び殺菌効果を達成する。
【００２７】
４．水素と清浄な水を充分且つ均等に混合させて高溶合水素水を生成させることができる。
【００２８】
５．高溶合水素水を、さらに水の分子が非常に小さく、弱アルカリ性で、高マイナス電位及び高溶合水素分子の健康飲用水にすることができる。
【００２９】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００３０】
１０  浄水装置
１０１  前置フィルター
１０２  貯水槽
１０３  中間フィルター
１０４  第一接続パイプ
２０  加圧ポンプ
２０１  入水口
２０２  出水口
２０３  第二接続パイプ
２０４  第三接続パイプ
２０５  第四接続パイプ
２０６  第五接続パイプ
２１  電磁バルブ
２２  純化フィルター
３０  水素発生設備
４０  エナジー水素水溶合貯水槽
４０１  高圧バルブ
４０２  蛇口
【図１】
0003215179.tif 000003